(57)【要約】【課題】休止した気筒を再作動させたときに冷却水を直ちに流通させないように制御して、燃焼効率が低下せず、燃費が悪化しない内燃機関冷却制御装置を提供する。【解決手段】内燃機関冷却制御装置１は、複数の気筒２０を有する内燃機関と、複数の気筒２０の一部であって内燃機関の作動中に燃焼を休止することができる休止可能気筒２０ｂと、内燃機関に冷却水を循環させるポンプ１２と、休止可能気筒２０ｂに冷却水を流通させる流路１１と、冷却水の流通を調節するよう流路１１に設けられた調節部１６と、休止可能気筒２０ｂが燃焼を休止しているときに休止可能気筒２０ｂへの冷却水の流通を遮断し、その後に休止可能気筒２０ｂが再び燃焼したときに所定の条件を充足するまで冷却水の流通を遮断し続けるように調節部１６を制御する調節制御部とを備えている。【選択図】図２
2013087758.tif 000002
【特許請求の範囲】
【請求項１】
複数の気筒を有する内燃機関と、
前記複数の気筒の一部であって前記内燃機関の作動中に燃焼を休止することができる休止可能気筒と、
前記内燃機関に冷却水を循環させるポンプと、
前記休止可能気筒に前記冷却水を流通させる流路と、
前記冷却水の流通を調節するよう前記流路に設けられた調節部と、
前記休止可能気筒が燃焼を休止しているときに前記休止可能気筒への前記冷却水の流通を遮断し、その後に前記休止可能気筒が再び燃焼したときに所定の条件を充足するまで前記冷却水の流通を遮断し続けるように前記調節部を制御する調節制御部と、
を備えた内燃機関冷却制御装置。
【請求項２】
前記所定の条件とは、前記休止可能気筒が再び燃焼を開始した後、予め設定した時間が経過することである請求項１に記載の内燃機関冷却制御装置。
【請求項３】
前記所定の条件とは、前記休止可能気筒が再び燃焼を開始した後、前記休止可能気筒の壁体の温度が予め設定した温度に到達することである請求項１に記載の内燃機関冷却制御装置。
【請求項４】
前記内燃機関に関する物理量を検出するセンサと、
前記センサの検出結果に基づいて前記壁体の温度を推定する壁体温度推定部をさらに備える請求項３に記載の内燃機関冷却制御装置。
【請求項５】
前記調節制御部は、前記休止可能気筒が休止する前の内燃機関の作動状態に基づいて前記調節部に前記冷却水の流通を遮断させる制御を行う請求項１に記載の内燃機関冷却制御装置。
【発明の詳細な説明】
【技術分野】
【０００１】
本発明は、複数の気筒を有し且つその一部の気筒が作動休止可能に構成されている内燃機関への冷却水の流通及び遮断を制御する内燃機関冷却制御装置に関する。
【背景技術】
【０００２】
一般に、ガソリンや軽油等を燃料とする内燃機関では、運転温度を所定範囲内に維持するために各気筒に冷却水を流通させて気筒を冷却するように構成されている。近年、燃費を向上させるために、車両走行中に一部の気筒の作動を休止させることが行われている。気筒の作動が休止しているときは、吸気弁及び排気弁を閉じ状態に保ち、気筒内で燃焼が起こらないようにしている。（例えば、特許文献１参照）
【先行技術文献】
【特許文献】
【０００３】
【特許文献１】特開２００９−８０３６号公報
【発明の概要】
【発明が解決しようとする課題】
【０００４】
作動を休止できる気筒（以下、休止可能気筒とも言う）が休止している間は気筒内で熱を発しない。休止可能気筒を再作動させる前に休止可能気筒を暖める目的で高温の冷却水を休止可能気筒に流通させることが特許文献１に開示されている。しかし、休止可能気筒が休止しているときに冷却水を流通させると、休止可能気筒を流通することにより冷却水の水温が低下し、休止せずに連続して作動している気筒（以下、連続作動気筒とも言う）にもその冷却水が流通して、連続作動気筒の壁体温度を低下させてしまう。その結果、燃焼効率が低下し燃費が悪化するという問題があった。
【０００５】
また、休止可能気筒を再作動させる前に休止可能気筒に冷却水を流通させず休止可能気筒の再作動と同時に冷却水を流通させた場合にも冷却水の温度低下が起こるので、上記と同様の問題が発生していた。また、休止可能気筒が冷却水で冷却されるので、休止可能気筒の壁体温度上昇に時間がかかり、燃焼効率が低下し燃費が悪化するという問題も発生していた。
【０００６】
上記問題に鑑み、本発明は、休止可能気筒を再作動させる際にも燃焼効率が低下せず、燃費が悪化しない内燃機関冷却制御装置を提供することを課題とする。
【課題を解決するための手段】
【０００７】
上記課題を解決するための本発明に係る内燃機関冷却制御装置の特徴構成は、複数の気筒を有する内燃機関と、前記複数の気筒の一部であって前記内燃機関の作動中に燃焼を休止することができる休止可能気筒と、前記内燃機関の作動により駆動され、前記内燃機関に冷却水を循環させるポンプと、前記休止可能気筒に前記冷却水を流通させる流路と、前記冷却水の流通を調節するよう前記流路に設けられた調節部と、前記休止可能気筒が燃焼を休止しているときに前記休止可能気筒への前記冷却水の流通を遮断し、その後に前記休止可能気筒が再び燃焼したときに所定の条件を充足するまで前記冷却水の流通を遮断し続けるように前記調節部を制御する調節制御部と、を備えている点にある。
【０００８】
このような特徴構成とすれば、休止可能気筒が再作動しても、休止可能気筒には直ちに冷却水が流通しないので、連続作動気筒を流通する冷却水の温度低下が起こらず、連続作動気筒の壁体温度低下も起こらない。また、休止可能気筒の壁体温度も短時間で上昇するので、連続作動気筒と休止可能気筒との間の温度不均一状態が短時間で解消する。その結果、燃焼効率が短時間で向上し燃費の悪化を防止できる。
【０００９】
また、本発明に係る内燃機関冷却制御装置においては、前記所定の条件を、前記休止可能気筒が再び燃焼を開始した後、予め設定した時間が経過することに設定すると好適である。このような構成にすれば、予め設定した時間が経過するまで冷却水が休止可能気筒を流通しないので、休止可能気筒の壁体温度が短時間で上昇する。その結果、内燃機関全体の燃焼効率が短時間で向上し燃費の悪化を防止できる。
【００１０】
また、本発明に係る内燃機関冷却制御装置においては、前記所定の条件を、前記休止可能気筒が再び燃焼を開始した後、前記休止可能気筒の壁体温度が予め設定した温度に到達することにすると好適である。このような構成にすれば、予め設定した温度に到達するまで冷却水が休止可能気筒を流通しないので、休止可能気筒の壁体温度が短時間で上昇する。その結果、内燃機関全体の燃焼効率が短時間で向上し燃費の悪化を防止できる。
【００１１】
また、本発明に係る内燃機関冷却制御装置においては、前記内燃機関に関する物理量を検出するセンサと、前記センサの検出結果に基づいて前記壁体温度を推定する壁体温度推定部をさらに備えると好適である。このような構成にすれば、冷却水が流通していない状態でも休止可能気筒の壁体温度を把握することができるので、調節制御部が適切に調節部を制御して冷却水の流通を制御するので、連続作動気筒と休止可能気筒との間の温度不均一状態を短時間で解消させることができる。その結果、内燃機関全体の燃焼効率が短時間で向上し燃費の悪化を防止できる。
【００１２】
また、本発明に係る内燃機関冷却制御装置においては、前記調節制御部は、前記休止可能気筒が休止する前の内燃機関の作動状態に基づいて前記調節部に前記冷却水の流通を遮断させる制御を行うと好適である。例えば、内燃機関が高出力を連続して発生した直後に休止可能気筒の休止と冷却水の遮断を同時に行うと、休止可能気筒が高温のままなので、冷却水の局所沸騰を招くおそれがある。このような構成にすれば、高温の状態のまま休止可能気筒を休止させても冷却水を引き続き流通させることができるので、冷却水の局所沸騰を防ぐことができる。
【図面の簡単な説明】
【００１３】
【図１】本発明の実施形態である内燃機関冷却制御装置を適用した内燃機関の１つの気筒の模式図
【図２】本実施形態の内燃機関冷却制御装置の構成を表す模式図
【図３】本実施形態の内燃機関冷却制御装置の制御系を示す機能ブロック図
【図４】休止可能気筒が休止したときに冷却水の流通を停止させるまでの流れを示すフローチャート
【図５】休止可能気筒が再作動したときに冷却水の流通を再開させるまでの流れを示すフローチャート
【図６】他の実施形態の内燃機関冷却制御装置の構成を表す模式図
【図７】他の実施形態の内燃機関冷却制御装置の構成を表す模式図
【図８】他の実施形態の内燃機関冷却制御装置の構成を表す模式図
【図９】他の実施形態の内燃機関冷却制御装置の構成を表す模式図
【発明を実施するための形態】
【００１４】
［第１実施形態］
以下、本発明の実施の形態を図面に基づいて説明する。図１は、多気筒内燃機関を構成する１つの休止可能気筒２０ｂを示す模式図である。この休止可能気筒２０ｂには、本発明による内燃機関冷却制御装置１が適用されている。以下連続作動気筒２０ａと休止可能気筒２０ｂを区別しないときは気筒２０と称する。
【００１５】
車両に搭載された多気筒内燃機関は、シリンダブロック３１及びシリンダヘッド３２等からなる内燃機関ハウジングを備えている。休止可能気筒２０ｂにはピストン２９が設けられ、各ピストン２９はクランクシャフト３０に連動している。シリンダブロック３１及びシリンダヘッド３２の壁体内部には、各燃焼室に吸気弁２３を介して空気を取り込むために吸気通路２１と各燃焼室から排気弁２４を介して排気ガスを排出するために排気通路２２が形成されている。
【００１６】
吸気通路２１には、所定量の燃料を吸気通路２１に噴射する燃料噴射弁２７が配置されている。さらに、吸気通路２１には、燃焼室に取り込まれる空気を清浄化するエアクリーナ２５及び吸気通路２１を流れる空気量を調節するためのスロットルバルブ２６が設けられている。エアクリーナ２５の領域には、吸気温（すなわち外気温）を検出する吸気温センサ４２が設けられている。またエアクリーナ２５とスロットルバルブ２６との間には燃焼室に取り込まれる空気の量を計測するエアフローセンサ４１が設けられている。
【００１７】
各燃焼室では、点火プラグ２８が作動することにより、燃料と空気との可燃混合気が燃焼する。この燃焼で発生する圧力によりピストン２９が上下動してクランクシャフト３０が回転する。このクランクシャフト３０の回転トルクによって車両駆動系と補機類（エアコンのコンプレッサ、オルタネータ、トルクコンバータ、パワーステアリングの油圧ポンプ等）が作動する。クランクシャフト３０の近傍には、クランクシャフト３０の回転角を検出するためのクランク角センサ４３が取り付けられている。
【００１８】
各燃焼室で生じた燃焼後の排気ガスは、排気通路２２を通じて外部へ排出される。燃焼室で発生した燃焼エネルギの一部は熱として壁体に残留する。壁体に残留する残留熱による壁体高熱化を防止するために、本実施形態に係る内燃機関冷却制御装置１では、冷却水循環用流路（以下単に流路とも称する）１１が設けられており、その内部には冷却水が流通されている。流路１１の一部は壁体にも形成されている。なお、壁体に形成されている流路１１をウォータジャケットとも称する。
【００１９】
図２は本実施形態の直列６気筒の内燃機関を含む内燃機関冷却制御装置１の構成を表す模式図である。本発明に係るポンプの一例である電動ポンプ１２は、流路１１上の流量制御弁１４と気筒２０との間に配置されている。この電動ポンプ１２は不図示の電気モータを駆動源しており、クランクシャフト３０の回転とは無関係に駆動可能である。電動ポンプ１２は、ラジエータ１３に接続されている流路１１を流れる冷却水を吸引してウォータジャケットの流入口に供給する。冷却水は、ウォータジャケット内部を流通する際に壁体から熱を吸収してその水温を上昇させることにより、壁体温度を低下させる。水温が上昇した冷却水はラジエータ１３を流通する際に熱を放出してその水温を下げる。
【００２０】
流路１１には、ラジエータ１３を経由せずにウォータジャケットの流出口と電動ポンプ１２の吸引側とを直接接続するバイパス流路が設けられている。このバイパス流路途中にヒータコア１５が設けられている。ラジエータ１３からの流路１１とバイパス流路とが交わる箇所には、流量制御弁１４が設けられている。この流量制御弁１４により、ラジエータ１３からの冷却水の流量とバイパス流路からの冷却水の流量を制御することができる。
【００２１】
流路１１には、ウォータジャケットの流出口を通過した後の冷却水の温度を検出する第１冷却水温度センサ４４と、ラジエータ１３を通過した後の冷却水の温度を検出するための第２冷却水温度センサ４５が設けられている。流量制御弁１４と第２冷却水温度センサ４５を一体化してサーモスタットとして構成してもよい。
【００２２】
流路１１は、気筒２０のウォータジャケットの流入口の上流側で分岐して分岐流路１１ａ、１１ｂを形成している。分岐流路１１ａを流通する冷却水は連続作動気筒２０ａのそれぞれのウォータジャケット内部を流通する。分岐流路１１ｂを流通する冷却水は休止可能気筒２０ｂのそれぞれのウォータジャケット内部を流通する。分岐流路１１ａと１１ｂは、ウォータジャケットの下流側で再び合流して流路１１を形成する。
【００２３】
休止可能気筒２０ｂのウォータジャケットの上流側にある分岐流路１１ｂには、冷却水のウォータジャケットへの流通及び遮断が電気的に又は機械的に切換可能な冷却水開閉弁１６が設けられている。冷却水開閉弁１６は、本発明に係る調節部の一例である。休止可能気筒２０ｂが作動を休止しているときには、冷却水開閉弁１６を閉じ、休止可能気筒２０ｂに冷却水が流通するのを遮断することができる。
【００２４】
本実施形態では、冷却水開閉弁１６は休止可能気筒２０ｂのウォータジャケットの上流側に設けたが、これはウォータジャケットに流入する前の低温の冷却水を開閉する方が、冷却水開閉弁１６の耐熱性の観点でより好ましいからである。ただし、休止可能気筒２０ｂのウォータジャケットの下流側に冷却水開閉弁１６を設けてもよい。
【００２５】
図３は、この内燃機関冷却制御装置１で採用されている制御系の中核要素としての制御ユニット２の機能ブロック図である。この制御ユニット２はＥＣＵと称されるもので、マイクロコンピュータを主体として構成され、内蔵されたＲＯＭに記憶されたプログラムを実行することで、内燃機関制御に関する種々の機能を作り出す。上述したエアフローセンサ４１、吸気温センサ４２、クランク角センサ４３、第１冷却水温度センサ４４、第２冷却水温度センサ４５、その他スロットルバルブ２６の開度を検出するスロットル開度センサ４６、車両の走行速度を検出する車速センサ４７などの各種センサの検出信号が制御ユニット２に入力される。また制御ユニット２は制御信号を出力し、電動ポンプ１２、流量制御弁１４、冷却水開閉弁１６、連続作動気筒２０ａ、休止可能気筒２０ｂ、燃料噴射弁２７、点火プラグ２８などの動作を制御する。
【００２６】
この制御ユニット２において作り出される機能のうち特に本発明に関係するものとして、気筒作動制御部５１、壁体温度推定部５２、冷却水開閉弁制御部５３が挙げられる。気筒作動制御部５１は、内燃機関が作動しているときに、クランク角センサ４３、スロットル開度センサ４６、車速センサ４７等の検出信号に基づいて、休止可能気筒２０ｂを休止させたり再作動させたりするよう制御する。例えば、渋滞中に低速度で発進、停止を繰り返しているときのように内燃機関に対する負荷トルクが小さいときや、一定速度での走行を一定時間以上継続しているときのように負荷トルクの変動が小さいときには、休止可能気筒２０ｂを休止させるように制御する。なお、４つの休止可能気筒２０ｂは、それぞれ独立して休止及び再作動させることができる。
【００２７】
壁体温度推定部５２は、休止可能気筒２０ｂが休止しているときに、本発明に係るセンサの一例であるエアフローセンサ４１、吸気温センサ４２、クランク角センサ４３、スロットル開度センサ４６、車速センサ４７等の検出信号に基づいて壁体温度を推定する。全ての気筒が作動しているときは、第１冷却水温度センサ４４、第２冷却水温度センサ４５からの検出信号に基づいて壁体温度を推定する。しかし、休止可能気筒２０ｂが休止して冷却水が休止可能気筒２０ｂのウォータジャケット内部を流通していないときには、第１冷却水温度センサ４４、第２冷却水温度センサ４５からの検出信号では休止可能気筒２０ｂの壁体温度が推定できない。そこで、上述したセンサからの検出信号に基づいて壁体温度推定部５２で壁体温度を推定する。
【００２８】
本発明に係る調節制御部の一例である冷却水開閉弁制御部５３は、気筒作動制御部５１から出力された休止可能気筒２０ｂの作動に関する情報、壁体温度推定部５２から出力された推定壁体温度に関する情報、その他内燃機関の出力についての情報等に基づいて冷却水開閉弁１６の開閉を制御する。内燃機関の出力は、エアフローセンサ４１、吸気温センサ４２、クランク角センサ４３、スロットル開度センサ４６、車速センサ４７等の検出信号に基づいて算出される。冷却水開閉弁制御部５３は、４つの冷却水開閉弁１６をそれぞれ独立して開閉制御できる。冷却水開閉弁制御部５３は、気筒作動制御部５１による休止可能気筒２０ｂの制御と独立している。
【００２９】
内燃機関の全ての気筒が作動して高出力を連続して発生するときには冷却水の温度が高くなる。このような状態で休止可能気筒２０ｂが作動を休止したときに、作動休止と同時に冷却水開閉弁制御部５３が冷却水開閉弁１６の閉じ制御をしてしまうと、冷却水が休止可能気筒２０ｂを流通しなくなるので、冷却水が局所沸騰してしまうおそれがある。そこで、休止可能気筒２０ｂが作動を休止したときには、冷却水開閉弁制御部５３は、冷却水が局所沸騰するおそれがなくなるまで冷却水開閉弁１６に対して開き制御をして休止可能気筒２０ｂに冷却水を流通させるように制御する。図４に、休止可能気筒２０ｂが作動を休止してから冷却水開閉弁１６が閉じ制御により冷却水の流通を停止させるまでのフローを示す。
【００３０】
休止可能気筒２０ｂが作動を休止する（Ｓ１１）。次に、第１冷却水温度センサ４４の検出温度ｔｈｗが予め定められた冷却水の水温Ｔ１より高いか否かを判断する（Ｓ１２）。第１冷却水温度センサ４４の検出温度ｔｈｗが予め定められた冷却水の水温Ｔ１より高ければ（Ｙｅｓ）、冷却水停止遅延時間ｔ１の間冷却水を流通させ（Ｓ１４）、その後冷却水開閉弁制御部５３は冷却水開閉弁１６の閉じ制御を行い冷却水の流通を停止させる（Ｓ１５）。
【００３１】
Ｓ１２において、第１冷却水温度センサ４４の検出温度ｔｈｗが予め定められた冷却水の水温Ｔ１以下（Ｎｏ）であれば、次のステップとして、過去の所定時間範囲内での内燃機関の平均出力Ｐｅ＿ａｖｅが内燃機関の予め定められた出力Ｐｅ１より高いか否かを判断する（Ｓ１３）。過去の所定時間範囲内での内燃機関の平均出力Ｐｅ＿ａｖｅが内燃機関の予め定められた出力Ｐｅ１より高ければ（Ｙｅｓ）、冷却水停止遅延時間ｔ１の間冷却水を流通させ（Ｓ１４）、その後冷却水開閉弁制御部５３は冷却水開閉弁１６の閉じ制御を行い冷却水の流通を停止させる（Ｓ１５）。過去の所定時間範囲内での内燃機関の平均出力Ｐｅ＿ａｖｅが内燃機関の予め定められた出力Ｐｅ１以下（Ｎｏ）であれば、冷却水開閉弁制御部５３は直ちに冷却水開閉弁１６の閉じ制御を行い冷却水の流通を停止させる（Ｓ１５）。
【００３２】
このように、休止可能気筒２０ｂが作動を休止したときに、所定の条件を充足するまで冷却水開閉弁制御部５３は冷却水開閉弁１６の開き制御を行って休止可能気筒２０ｂに冷却水を流通させることにより、冷却水が局所沸騰するおそれがなくなる。図４においては冷却水の水温と内燃機関の出力の両方の条件を判断して冷却水開閉弁１６の閉じ制御を行ったが、いずれか一方の条件だけを判断して冷却水開閉弁１６の閉じ制御を行ってもよい。
【００３３】
次に休止可能気筒２０ｂが休止から再作動を開始したときの冷却水開閉弁１６の制御について述べる。休止可能気筒２０ｂが休止しているときは燃焼が起こらないので、休止可能気筒２０ｂの壁体温度は連続作動気筒２０ａの壁体温度と比べて低い。また、休止可能気筒２０ｂのウォータジャケットにはラジエータ１３やヒータコア１５を経由した後の温度の低い冷却水が流通する。そのため、休止可能気筒２０ｂの再作動と冷却水開閉弁制御部５３による冷却水開閉弁１６の開き制御を同時に行うと、休止可能気筒２０ｂで燃焼が起こっても壁体温度の上昇は緩やかになる。その結果、連続作動気筒２０ａとの間での温度不均一状態が長時間継続し、燃焼状態が不安定になると共に燃費が悪化する。
【００３４】
そこで、冷却水開閉弁制御部５３は休止可能気筒２０ｂが再作動を開始してすぐには冷却水開閉弁１６の開き制御を行わずに、所定の条件を充足したときに初めて開き制御を行って冷却水を流通させるようにする。図５（ａ）、（ｂ）のそれぞれに、休止可能気筒２０ｂが再作動を開始してから冷却水開閉弁１６が開き制御により冷却水の流通を再開させるまでのフローを示す。
【００３５】
図５（ａ）において、休止可能気筒２０ｂが再度作動を開始する（Ｓ２１）。次に、冷却水流通遅延時間ｔ２が経過したかどうかを判断する（Ｓ２２）。冷却水流通遅延時間ｔ２が経過した後に、冷却水開閉弁制御部５３は冷却水開閉弁１６の開き制御を行い冷却水の流通を再開させる（Ｓ２３）。冷却水流通遅延時間ｔ２は、休止可能気筒２０ｂの中で実際に休止していた気筒数、休止可能気筒２０ｂが再度作動を開始したときの連続作動気筒２０ａや冷却水の温度等により適宜設定される。
【００３６】
図５（ｂ）において、休止可能気筒２０ｂが再度作動を開始する（Ｓ３１）。次に、壁体温度推定部５２で推定された休止可能気筒２０ｂの推定壁体温度ｔｃｂが予め定められた壁体温度Ｔｅ１より高いかどうかを判断する（Ｓ３２）。推定壁体温度ｔｃｂが予め定められた壁体温度Ｔｅ１より高くなったら、冷却水開閉弁制御部５３は冷却水開閉弁１６の開き制御を行い冷却水の流通を再開させる（Ｓ３３）。
【００３７】
このように、休止可能気筒２０ｂが再作動を開始した当初は、冷却水開閉弁制御部５３は冷却水開閉弁１６の閉じ制御を行って休止可能気筒２０ｂへの冷却水の流通を停止させ続け、所定の条件を充足して初めて冷却水開閉弁１６の開き制御を行って冷却水の流通を再開させる。これにより、休止可能気筒２０ｂの壁体温度の上昇が早くなり、連続作動気筒２０ａとの間で温度不均一状態も短時間で解消する。
【００３８】
［他の実施形態］
第１実施形態では気筒ごとに分岐流路１１ｂを形成したが、分岐流路１１ｂが複数であれば複数の休止可能気筒２０ｂを１つの分岐流路１１ｂで接続してもよい。図６に、２つの休止可能気筒２０ｂを直列に接続した分岐流路１１ｂを２つ設けた内燃機関冷却制御装置１の模式図を示す。
【００３９】
第１実施形態においては、直列に配置された気筒２０のうち両端を連続作動気筒２０ａとし、それ以外を休止可能気筒２０ｂとしたが、連続作動気筒２０ａと休止可能気筒２０ｂの配置はこれに限られず、任意の配置を採用することができる。図７に、連続作動気筒２０ａと休止可能気筒２０ｂを交互に配置した内燃機関冷却制御装置１の模式図を示す。
【００４０】
第１実施形態において、冷却水開閉弁１６は、休止可能気筒２０ｂのウォータジャケットへ冷却水を流通させ及び遮断する開閉弁であったが、流路を切り換える切換弁を用いる構成にしてもよい。図８に、冷却水切換弁１７を用いた内燃機関冷却制御装置１の模式図を示す。冷却水切換弁１７は、本発明に係る調節部の一例である。この場合、ウォータジャケットの上流側で分岐流路１１ｂからさらに分岐する新たな分岐流路１１ｃを形成し、分岐流路１１ｂと分岐流路１１ｃとの分岐点に冷却水切換弁１７を設ける。分岐流路１１ｃはウォータジャケットの内部を流通せずにウォータジャケットの下流側で流路１１と合流するように形成されている。休止可能気筒２０ｂが作動しているときは、冷却水切換弁１７は分岐流路１１ｂに冷却水を流通させるように設定されている。休止可能気筒２０ｂが休止し休止可能気筒２０ｂへの冷却水の流通を遮断するときには、冷却水切換弁１７の流路を切り換え、冷却水が分岐流路１１ｃを流通するようにする。
【００４１】
第１実施形態では直列６気筒の内燃機関の一部の気筒を休止可能気筒２０ｂにしたが、内燃機関の形式はこれに限られるものではない。例えば、６気筒以外の直列多気筒内燃機関やＶ型多気筒内燃機関の一部の気筒、さらにはＶ型多気筒内燃機関の片バンク全体の気筒を休止可能気筒２０ｂにしてもよい。図９に、Ｖ型８気筒内燃機関に内燃機関冷却制御装置１を適用した模式図を示す。
【００４２】
上述した各実施形態は可能な限り組み合わせて実施してもよい。
【００４３】
本発明は、複数の気筒を有し且つその一部の気筒が作動休止可能に構成されている内燃機関への冷却水の流通及び遮断を制御する内燃機関冷却制御装置に利用することができる。
【符号の説明】
【００４４】
１：内燃機関冷却制御装置
１１：流路
１１ａ、１１ｂ、１１ｃ：分岐流路
１２：電動ポンプ
１６：冷却水開閉弁
１７：冷却水切換弁
２０：気筒
２０ｂ：休止可能気筒
４４：第１冷却水温度センサ
５２：壁体温度推定部
５３：冷却水開閉弁制御部
【図１】
2013087758.tif 000003
【図２】
2013087758.tif 000004
【図３】
2013087758.tif 000005
【図４】
2013087758.tif 000006
【図５】
2013087758.tif 000007
【図６】
2013087758.tif 000008
【図７】
2013087758.tif 000009
【図８】
2013087758.tif 000010
【図９】
2013087758.tif 000011